(57)【特許請求の範囲】
【請求項１】
加熱対象を加圧する透明で無端状の加圧部材と、
光源から照射され前記加熱対象を加熱する光を透過し、前記加圧部材の内周面と接触する接触部材と、
前記加圧部材の内側で前記接触部材を支持する支持部材と、
前記接触部材と前記支持部材との間に設けられ、光を前記支持部材側とは反対側に反射する反射手段と、
を有する加熱装置。
【請求項２】
前記反射手段は、前記支持部材の前記接触部材側の面に形成された反射膜である請求項１に記載の加熱装置。
【請求項３】
前記反射手段は、前記接触部材の前記支持部材側の面に形成された反射膜である請求項１に記載の加熱装置。
【請求項４】
前記反射手段又は前記加熱対象で反射された光の進行方向には、光を吸収する吸収部材が設けられている請求項１から請求項３のいずれか１項に記載の加熱装置。
【請求項５】
加熱対象としての現像剤が付着した記録媒体を搬送する搬送手段と、
前記搬送手段で搬送される前記記録媒体の前記現像剤に光を照射して加熱し、該現像剤を前記記録媒体に定着させる請求項１から請求項４のいずれか１項に記載の加熱装置と、
を有する定着装置。
【請求項６】
記録媒体に現像剤像を形成する現像剤像形成手段と、
前記現像剤像を前記記録媒体に定着する請求項５に記載の定着装置と、
を有する画像形成装置。
【発明の詳細な説明】
【技術分野】
【０００１】
本発明は、加熱装置、定着装置、及び画像形成装置に関する。
【背景技術】
【０００２】
特許文献１の定着装置は、記録媒体上のトナーにレーザ光を照射するレーザ光発生装置と、記録媒体で反射されたレーザ光を照射位置に集光する集光体とを有する。
【先行技術文献】
【特許文献】
【０００３】
【特許文献１】特開２０１１−４３６０９号公報
【発明の概要】
【発明が解決しようとする課題】
【０００４】
本発明は、光源からの光が接触部材を透過して加熱対象を加熱する加熱装置において、接触部材を支持する支持部材の温度上昇を抑制することを目的とする。
【課題を解決するための手段】
【０００５】
本発明の請求項１に係る加熱装置は、加熱対象を加圧する透明で無端状の加圧部材と、光源から照射され前記加熱対象を加熱する光を透過し、前記加圧部材の内周面と接触する接触部材と、前記加圧部材の内側で前記接触部材を支持する支持部材と、前記接触部材と前記支持部材との間に設けられ、光を前記支持部材側とは反対側に反射する反射手段と、を有する。
【０００６】
本発明の請求項２に係る加熱装置の前記反射手段は、前記支持部材の前記接触部材側の面に形成された反射膜である。
【０００７】
本発明の請求項３に係る加熱装置の前記反射手段は、前記接触部材の前記支持部材側の面に形成された反射膜である。
【０００８】
本発明の請求項４に係る加熱装置の前記反射手段又は前記加熱対象で反射された光の進行方向には、光を吸収する吸収部材が設けられている。
【０００９】
本発明の請求項５に係る定着装置は、加熱対象としての現像剤が付着した記録媒体を搬送する搬送手段と、前記搬送手段で搬送される前記記録媒体の前記現像剤に光を照射して加熱し、該現像剤を前記記録媒体に定着させる請求項１から請求項４のいずれか１項に記載の加熱装置と、を有する。
【００１０】
本発明の請求項６に係る画像形成装置は、記録媒体に現像剤像を形成する現像剤像形成手段と、前記現像剤像を前記記録媒体に定着する請求項５に記載の定着装置と、を有する。
【発明の効果】
【００１１】
請求項１の発明は、加圧部材の内側における接触部材と支持部材との間に反射手段が設けられていない構成に比べて、光源からの光が接触部材を透過して加熱対象を加熱する加熱装置において、接触部材を支持する支持部材の温度上昇を抑制することができる。
【００１２】
請求項２の発明は、反射手段として反射膜を形成しない構成に比べて、反射手段が支持部材に対してずれるのを抑制することができる。
【００１３】
請求項３の発明は、反射手段として反射膜を形成しない構成に比べて、反射手段が支持部材に対してずれるのを抑制することができる。
【００１４】
請求項４の発明は、光を吸収する吸収部材を設けていない構成に比べて、加熱対象で反射された光が加熱装置内の吸収部材以外の部材に入射することを抑制することができる。
【００１５】
請求項５の発明は、請求項１から請求項４のいずれか１項に記載の加熱装置を有していない構成に比べて、加圧部材による現像剤の過熱に起因する定着不良を抑制することができる。 
【００１６】
請求項６の発明は、請求項５に記載の定着装置を有していない構成に比べて、定着不良により生じる画像不良を抑制することができる。
【図面の簡単な説明】
【００１７】
【図１】第１実施形態に係る画像形成装置を模式的に示す全体構成図である。
【図２】第１実施形態に係る定着装置を模式的に示す構成図である。
【図３】第１実施形態に係る定着装置の要部の分解図である。
【図４】（Ａ）第１実施形態に係る定着装置の要部を分解した状態を示す縦断面図である。（Ｂ）第１実施形態に係る定着装置の要部の組立状態を示す縦断面図である。
【図５】第１実施形態に係る定着装置の要部の組立状態を示す説明図である。
【図６】第１実施形態に係る定着装置におけるレーザ光の入射、散乱、反射状態を模式的に示す説明図である。
【図７】第１実施形態に係るレンズ壁面の反射率に対するレンズ壁面の総吸収率を示すグラフである。
【図８】（Ａ）第２実施形態に係る定着装置の要部を分解した状態を示す縦断面図である。（Ｂ）第２実施形態に係る定着装置の要部の組立状態を示す縦断面図である。
【図９】第２実施形態に係る定着装置におけるレーザ光の入射、散乱、反射状態を模式的に示す説明図である。
【図１０】第３実施形態に係る定着装置を模式的に示す構成図である。
【図１１】変形例に係る定着装置を模式的に示す構成図である。
【発明を実施するための形態】
【００１８】
[第１実施形態]
第１実施形態に係る加熱装置、定着装置、及び画像形成装置の一例について説明する。
【００１９】
〔全体構成〕
図１には、第１実施形態の画像形成装置１０が示されている。画像形成装置１０は、一例として、用紙Ｐを搬送する搬送部１２と、搬送される用紙ＰにトナーＴを用いてトナー像Ｇを形成する画像形成部１４と、トナー像Ｇを用紙Ｐに定着する定着装置２０と、を有する。用紙Ｐは、記録媒体の一例である。トナーＴは、現像剤及び加熱対象の一例である。トナー像Ｇは、現像剤像の一例である。画像形成部１４は、現像剤像形成手段の一例である。また、画像形成部１４は、帯電、露光、現像、転写、清掃の各工程を行うようになっている。
【００２０】
〔要部構成〕
次に、定着装置２０について説明する。
【００２１】
図２に示すように、定着装置２０は、トナーＴが付着した用紙Ｐを搬送する搬送手段の一例としての対向ロール２２と、用紙ＰのトナーＴに光の一例としてのレーザ光Ｂｍを照射してトナーＴを加熱する加熱装置の一例としての加熱部３０と、を有する。
【００２２】
（対向ロール）
対向ロール２２は、一例として、ステンレス鋼製の筒体により構成されており、後述する透明チューブ４４との間に予め決められた加圧力が作用するように配置されている。また、対向ロール２２は、一例として、図示しないギア及びモータにより回転駆動され、透明チューブ４４と共に用紙Ｐを挟んで搬送するようになっている。
【００２３】
＜加熱部＞
本実施形態に用いられる加圧部材は無端状で回転可能な形状である。なお、無端状とは、筒状のものや中空のものを含む概念である。図２に示すように、加熱部３０は、加圧部材の一例としての透明チューブ４４と、光源の一例としての光照射部３２と、接触部材の一例としてのレンズパッド３４と、レンズパッド３４を支持する支持部材の一例としての支持枠３６、３８と、を有する。また、加熱部３０は、反射手段の一例としての反射膜４２と、透明チューブ４４の内周面に透明な液体を塗布する液体塗布部４６とを有する。
【００２４】
（光照射部）
光照射部３２は、レーザアレイ５２と、コリメートレンズ５４とを有する。レーザアレイ５２は、複数のレーザ光源５６が配列されている。コリメートレンズ５４は、各レーザ光源５６から照射されたレーザ光Ｂｍを平行光とする光学部材である。
【００２５】
（レンズパッド）
レンズパッド３４は、レーザアレイ５２の長手方向に延びる長尺なレンズ部材にて構成されている。レンズパッド３４の材料としては、通常、レンズに用いられるものの中で耐熱性を持つ材料から選択でき、一例として、光学用透明プラスチック樹脂が挙げられる。光学用透明プラスチック樹脂としては、ポリジエチレングリコールビスアリルカーボネート（ＰＡＤＣ）、ポリメチルメタクリレート（ＰＭＭＡ）、ポリスチレン（ＰＳｔ）を含む材料が挙げられる。さらに、光学用透明プラスチック樹脂として、メチルメタクリレート単位とスチレン単位とからなる重合体（ＭＳ樹脂）、ポリカーボネート樹脂、シクロオレフィン樹脂、フルオレン樹脂などを含む材料が挙げられる。
【００２６】
また、レンズパッド３４は、レーザアレイ５２から照射される複数のレーザ光Ｂｍを、透過させると共に透過方向に向かって集光するようになっている。さらに、レンズパッド３４は、用紙Ｐの搬送方向における中央部に光軸Ｋが位置するように配置されている。
【００２７】
なお、以後の説明では、一例として、レーザアレイ５２の長手方向をＺ方向、Ｚ方向と直交しレーザ光Ｂｍが照射される方向をＹ方向、Ｚ方向及びＹ方向と直交し用紙Ｐが搬送される方向をＸ方向と記載する。また、透明チューブ４４の回転方向をＲ方向と記載する。さらに、Ｘ方向、Ｙ方向、Ｚ方向のそれぞれ一方側と他方側を区別する必要がある場合は、レンズパッド３４を長手方向に沿って正面視して、上側をＹ側、下側を−Ｙ側、右側をＸ側、左側を−Ｘ側、奥側をＺ側、手前側を−Ｚ側と記載する。
【００２８】
図３に示すように、レンズパッド３４は、光入射面３４Ａと、光出射面３４Ｂとを有する。光入射面３４Ａは、Ｚ方向に見てＹ側に凸の円弧状に形成されており、透明チューブ４４の光入射域に配置され、透明チューブ４４の内周面と接触している。
【００２９】
光出射面３４Ｂは、Ｚ方向に見て−Ｙ側に凸の円弧状に形成されており、透明チューブ４４の光出射域に配置され、透明チューブ４４の内周面と接触している。なお、本実施形態では、一例として、光出射面３４Ｂと透明チューブ４４とが接触する部位を接触部Ｎ（図２参照）とする。
【００３０】
さらに、レンズパッド３４は、光入射面３４Ａと光出射面３４Ｂとの間でＺ−Ｙ面に沿った側面３４Ｃを有している。側面３４Ｃの一部には、断面が矩形状で側面３４Ｃから１段凹んだ位置決め溝３４Ｄが一体的に形成されている。また、レンズパッド３４は、支持枠３６、３８によって、透明チューブ４４内で支持及び保持されている。
【００３１】
（支持枠）
図３に示すように、支持枠３６は、一例として、Ｚ方向に長い長尺状の部材であり、Ｚ方向に見て、−Ｘ側に凸とされた半円形状の案内部３６Ａと、案内部３６ＡのＹ方向中央よりも−Ｙ側の部位からＸ側に突出された矩形状の凸部３６Ｂとを有する。なお、支持枠３６は、レーザ光Ｂｍ（図２参照）を吸収する材料で構成され、一例として、ステンレス鋼で構成されている。
【００３２】
案内部３６Ａは、Ｚ方向に見て、−Ｘ側に配置される湾曲面３６Ｄと、Ｘ側に配置される平面３６Ｅとを有する。湾曲面３６Ｄは、透明チューブ４４の内周面の半径に対応した半径を有している。また、湾曲面３６Ｄの一部には、−Ｘ側に開口する凹部３６Ｃが形成されている。凹部３６Ｃ内には、液体塗布部４６が収容される。
【００３３】
凸部３６Ｂは、レンズパッド３４の−Ｘ側の位置決め溝３４Ｄに嵌まり込む大きさとされている。そして、位置決め溝３４Ｄに凸部３６Ｂが嵌まり込むことで、レンズパッド３４が支持枠３６に対して位置決めされるようになっている。また、詳細は後述するが、平面３６Ｅ及び凸部３６Ｂの表面には、反射膜４２が形成されている。
【００３４】
支持枠３８は、一例として、凹部３６Ｃを除いて支持枠３６と同じ構成（材質、形状、大きさ）とされている。このため、支持枠３８の一部については、支持枠３６と同じ符号を付与して説明を省略する。支持枠３８の凸部３６Ｂは、レンズパッド３４のＸ側の位置決め溝３４Ｄに嵌まり込む大きさとされている。また、支持枠３８の平面３６Ｅ及び凸部３６Ｂの表面には、反射膜４２が形成されている。
【００３５】
ここで、レンズパッド３４、支持枠３６、及び支持枠３８は、組み立てられた状態で全体が円柱状となる。これにより、レンズパッド３４、支持枠３６、及び支持枠３８は、透明チューブ４４の内側に配置可能となる。そして、支持枠３６及び支持枠３８は、透明チューブ４４の内側でレンズパッド３４を支持する。
【００３６】
（保持部材）
図３に示すように、支持枠３６及び支持枠３８のＺ側端部には、保持部材６４が設けられており、支持枠３６及び支持枠３８の−Ｚ側端部には、保持部材６６が設けられている。なお、保持部材６４と保持部材６６は、一例として、同じ構成であるため、保持部材６６について説明し、保持部材６４の説明を省略する。
【００３７】
保持部材６６は、一例として、Ｚ方向を軸方向とする円柱状の蓋部６６Ａと、蓋部６６Ａよりも小径で蓋部６６Ａの中央から−Ｚ側に突出した段部６６Ｂと、段部６６Ｂから−Ｚ側に突出した角柱状の支軸６６Ｃと、を有する。支軸６６Ｃは、後述するエンドキャップ７２よりもＺ側又は−Ｚ側へ突出され、図示しないブラケットで支持されるようになっている。
【００３８】
（透明チューブ）
本実施形態において、透明チューブ４４における透明とは、レーザ光Ｂｍの波長域において透過率が十分に高いことを意味する。即ち、透明チューブ４４は、レーザ光Ｂｍを透過するものであればよく、光利用効率やレンズパッド３４の加熱を抑制するという観点からすれば、透過率が高ければ高いほどよい。透過率は、一例として、９０[％]以上、望ましくは９５[％]以上がよい。
【００３９】
また、透明チューブ４４は、一例として、必要な強度を維持するための基材層、基材層の上に積層された弾性層、及び弾性層の上に積層された離型層を有する。基材層、弾性層、及び離型層の図示は省略する。なお、透明チューブ４４は、３層構造に限らない。
【００４０】
基材層の材料としては、ポリフッ化ビニリデン（ＰＶＤＦ）、ポリイミド（ＰＩ）、ポリエチレン（ＰＥ）、ポリウレタン（ＰＵ）、ポリジメチルシロキサン（ＰＤＭＳ）が挙げられる。また、基材層の材料としては、ポリエーテルエーテルケトン（ＰＥＥＫ）、ポリエーテルスルホン（ＰＥＳ）、フッ素化エチレンプロピレン（ＦＥＰ）、エチレンテトラフルオロエチレンコポリマー（ＥＴＦＥ）が挙げられる。さらに、基材層の材料としては、クロロトリフルオロエチレン（ＣＴＦＥ）、ポリフッ化ビニリデン（ＰＶＤＦ）、ポリフッ化ビニル（ＰＶＦ）、ポリテトラフルオロエチレン（ＰＴＦＥ）が挙げられる。なお、上記の材料の混合物からなる群から選択される材料により構成してもよい。
【００４１】
弾性層は、ＬＳＲシリコーンゴム、ＨＴＶシリコーンゴム、ＲＴＶシリコーンゴムなどにより構成されており、レーザ光Ｂｍを透過するとともに用紙Ｐの凹凸やトナー像Ｇの段差を吸収する弾性を有していればよい。
【００４２】
離型層は、フッ素樹脂、例えば四フッ化エチレン重合体（ＰＴＦＥ）、四フッ化エチレンパーフロロアルコキシエチレン共重合体（ＰＦＡ）、四フッ化エチレン六フッ化プロピレン共重合体（ＦＥＰ）などにより構成されている。また、離型層は、レーザ光Ｂｍを透過すると共に用紙Ｐ上に形成されたトナー像Ｇと透明チューブ４４との離型を促進するものであればよい。なお、離型層は、弾性層と協働して定着後の画像（トナー像Ｇ）に好ましい光沢を与える機能も有している。
【００４３】
（エンドキャップ）
透明チューブ４４のＺ側及び−Ｚ側には、エンドキャップ７２が設けられている。なお、図３では、−Ｚ側のエンドキャップ７２の図示を省略している。
【００４４】
エンドキャップ７２は、透明チューブ４４のＺ側の内周面、−Ｚ側の内周面に嵌まり込む筒部７２Ａと、筒部７２ＡのＺ方向の一方側に一体で設けられたギア７２Ｂと、を有する。筒部７２Ａの内側には、段部６６Ｂが挿入される。なお、筒部７２Ａの内側に段部６６Ｂを挿入した状態では、保持部材６４、６６に対して、エンドキャップ７２及び透明チューブ４４が相対移動（回転移動）可能となる。ギア７２Ｂは、図示しないモータにより回転駆動されるようになっており、透明チューブ４４に対して、回転駆動力を付与する。
【００４５】
図２に示す対向ロール２２と透明チューブ４４は、一例として、既述のように、それぞれ独立した駆動源を有するが、いずれか一方側には、図示しないワンウェイクラッチが設けられている。
【００４６】
（液体塗布部）
図２に示すように、液体塗布部４６は、一例として、フェルト材で構成されており、透明チューブ４４の内周面と接触している。また、液体塗布部４６には、透明液体の一例としてのシリコーンオイルが含浸されている。これにより、透明チューブ４４の回転に伴い、透明チューブ４４の内周面にシリコーンオイルが塗布されるようになっている。
【００４７】
〔反射膜〕
次に、反射膜４２について説明する。
【００４８】
図４（Ａ）に示す反射膜４２は、一例として、酸化チタンの微粒子を含む白色塗料で構成されている。また、反射膜４２は、一例として、支持枠３６、３８における凸部３６Ｂの表面及び平面３６Ｅの表面に塗布されている。なお、反射膜４２の材質は、酸化チタンに限らず、光照射部３２のレーザ光Ｂｍ（図２参照）を反射する特性を有する材質から選択すればよい。
【００４９】
図４（Ｂ）に示すように、レンズパッド３４の位置決め溝３４Ｄに、支持枠３６、３８の凸部３６Ｂを嵌め込む。これにより、光軸Ｋと支持枠３６、３８との間に反射膜４２が設けられる。言い換えると、反射膜４２は、支持枠３６、３８のレンズパッド３４側（光軸Ｋ側）の面に形成されている。
【００５０】
図３及び図５に示すように、レンズパッド３４を支持枠３６、３８で保持した後、保持部材６４、６６でレンズパッド３４のＺ側及び−Ｚ側を保持する。また、凹部３６Ｃには、液体塗布部４６（図３参照）が取り付けられる。続いて、これらの部材を透明チューブ４４内に挿入し、保持部材６４、６６、及び透明チューブ４４の両端部にそれぞれエンドキャップ７２を取り付け、図示しないブラケットで支持することで、透明チューブ４４が回転可能に支持される。
【００５１】
[作用]
次に、第１実施形態の作用について説明する。
【００５２】
図２に示すように、加熱部３０では、光照射部３２から出射されたレーザ光Ｂｍが、透明チューブ４４を透過し、レンズパッド３４の光入射面３４Ａに入射される。光入射面３４Ａに入射されたレーザ光Ｂｍは、レンズパッド３４中で集光されると共に、光出射面３４Ｂ及び透明チューブ４４を透過して、搬送中の用紙Ｐ上のトナーＴに照射される。用紙Ｐ上のトナーＴ（トナー像Ｇ）は、集光されたレーザ光Ｂｍを吸収することで加熱され溶融すると共に、対向ロール２２から加圧力Ｆを受けることで、用紙Ｐに定着される。
【００５３】
図６に示すように、レンズパッド３４内に入射されたレーザ光Ｂｍのうち、トナーＴに吸収されなかったものは、用紙Ｐ上で散乱され、散乱光Ａ（矢印Ａで示す）となる。散乱光Ａのうち、一部は、支持枠３６、３８へ向かって進行する。ここで、支持枠３６、３８には、反射膜４２が形成されているので、支持枠３６、３８へ向かって進行した散乱光Ａは、反射膜４２で支持枠３６、３８側とは反対側へ反射され、反射光Ｂ（矢印Ｂで示す）となってレンズパッド３４中を進む。これにより、支持枠３６、３８が散乱光Ａを吸収することが抑制されるので、支持枠３６、３８の温度上昇が抑制される。なお、図６では、支持枠３６、３８の凸部３６Ｂ（図４（Ａ）参照）の図示を省略している。
【００５４】
図７には、レンズ壁面反射率とレンズ壁面の総吸収率との関係を示すグラフＧ１、Ｇ２、Ｇ３が示されている。レンズ壁面反射率とは、反射膜４２（図２参照）に入射したレーザ光Ｂｍの量に対する反射膜４２で反射されたレーザ光Ｂｍの量の比率である。レンズ壁面反射率の単位は％である。また、レンズ壁面反射率は、反射膜４２での１回の反射における反射率である。
【００５５】
レンズ壁面の総吸収率とは、レンズパッド３４内に入射されたレーザ光Ｂｍの総量に対して、支持枠３６、３８に吸収されたレーザ光Ｂｍの量の比率である。レンズ壁面の総吸収率の単位は％である。
【００５６】
図６に示すレンズパッド３４の光入射面３４ＡにおけるＸ方向の開口幅をｄとする。開口幅ｄは、Ｘ方向で対向する反射膜４２の間隔である。また、レンズパッド３４のＹ方向の高さをｈとする。ここで、図７に示すグラフＧ１は、ｄ＝１５[ｍｍ]、ｈ＝３０[ｍｍ]とした場合、グラフＧ２は、ｄ＝１０[ｍｍ]、ｈ＝３０[ｍｍ]とした場合、グラフＧ３は、ｄ＝５[ｍｍ]、ｈ＝３０[ｍｍ]とした場合の結果である。
【００５７】
図７に示すグラフＧ１、Ｇ２、Ｇ３を見て分かるように、レンズ壁面反射率が増加すると、レンズ壁面の総吸収率は減少する。また、同じレンズ壁面反射率であっても、開口幅ｄ（図６参照）が広くなると、レンズ壁面の総吸収率は減少する。これは、開口幅ｄが広くなることにより、レーザ光Ｂｍ（図６参照）のレンズ壁面への入射回数が減少することによると考えられる。
【００５８】
ここで、一例として、グラフＧ２において、レンズ壁面反射率が７０[％]の場合は、レンズ壁面の総吸収率が４０[％]程度となっている。また、レンズ壁面反射率が９５[％]の場合は、レンズ壁面の総吸収率が１０[％]程度となっている。つまり、反射膜４２（図２参照）の反射率を９５[％]にすることで、反射率が７０[％]の場合に比べて、散乱光Ａ（図６参照）の吸収量が４分の１程度となる。この吸収量の差は、支持枠３６、３８（図２参照）の温度上昇の差となるため、反射率９５[％]の反射膜４２を用いた方が、反射率７０[％]の反射膜４２を用いた場合よりも、支持枠３６、３８の温度上昇が抑制される。
【００５９】
また、加熱部３０では、図４（Ａ）に示すように、反射膜４２が支持枠３６、３８に塗布により形成され、支持枠３６、３８と一体となっている。このため、反射膜４２と支持枠３６、３８とが別部材とされているものに比べて、反射膜４２の位置が、支持枠３６、３８に対してずれることが抑制される。そして、反射膜４２の位置がずれることが抑制されるので、支持枠３６、３８に散乱光Ａ（図６参照）が入射することが抑制され、支持枠３６、３８の温度上昇が抑制される。
【００６０】
図２に示す定着装置２０では、反射膜４２によりレーザ光Ｂｍが反射されるため、支持枠３６、３８の温度上昇が抑制される。このため、支持枠３６、３８が透明チューブ４４及び用紙Ｐを設定温度以上に加熱することが抑制され、トナーＴが設定温度以上に加熱されること（過熱）が抑制される。これにより、透明チューブ４４への用紙Ｐ及びトナーＴの付着力の増加が抑制されるので、透明チューブ４４によるトナーＴの過熱に起因する用紙Ｐへのトナー像Ｇの定着不良が抑制される。 
【００６１】
図１に示す画像形成装置１０では、定着装置２０におけるトナー像Ｇの定着不良が抑制されるので、定着不良により生じる画像不良が抑制される。
【００６２】
[第２実施形態]
次に、第２実施形態に係る加熱装置、定着装置、及び画像形成装置の一例について説明する。なお、前述した第１実施形態と基本的に同一の部材及び部位には、前記第１実施形態と同一の符号を付与してその説明を省略する。
【００６３】
図８（Ａ）には、第２実施形態の反射膜８２が示されている。なお、第２実施形態では、第１実施形態の画像形成装置１０、定着装置２０、及び加熱部３０（図１参照）において、反射膜４２（図２参照）に換えて反射膜８２が設けられている点が異なっており、他の構成については、第１実施形態と同様である。
【００６４】
図８（Ａ）に示す反射膜８２は、一例として、アルミニウムで構成されている。また、反射膜８２は、レンズパッド３４の側面３４Ｃの表面、及び位置決め溝３４Ｄの表面に公知の金属蒸着法を用いて蒸着されている。なお、反射膜８２の材質は、アルミニウムに限らず、光照射部３２（図２参照）のレーザ光Ｂｍ（図２参照）を反射する特性を有する材質から選択すればよい。また、蒸着された反射膜８２は、表面が鏡面状態に近い状態となっている。
【００６５】
図８（Ｂ）に示すように、レンズパッド３４の位置決め溝３４Ｄに、支持枠３６、３８の凸部３６Ｂを嵌め込む。これにより、レンズパッド３４と支持枠３６、３８との間に反射膜８２が設けられる。言い換えると、反射膜８２は、レンズパッド３４の支持枠３６、３８側の面に形成されている。
【００６６】
[作用]
次に、第２実施形態の作用について説明する。
【００６７】
図９に示すように、散乱光Ａのうち、一部は、支持枠３６、３８へ向かって進行する。ここで、支持枠３６、３８には、反射膜８２が形成されているので、支持枠３６、３８へ向かって進行した散乱光Ａは、反射膜８２で支持枠３６、３８側とは反対側へ反射され、反射光Ｂとなってレンズパッド３４中を進む。これにより、支持枠３６、３８が散乱光Ａを吸収して過熱されることが抑制されるので、支持枠３６、３８の温度上昇が抑制される。なお、図９では、支持枠３６、３８の凸部３６Ｂ（図８（Ａ）参照）の図示を省略している。
【００６８】
また、加熱部３０では、図８（Ａ）に示すように、反射膜８２がレンズパッド３４に蒸着により形成され、レンズパッド３４と一体となっている。このため、反射膜８２と支持枠３６、３８とが別部材とされているものに比べて、反射膜８２の位置が、支持枠３６、３８に対してずれることが抑制される。そして、反射膜８２の位置がずれることが抑制されるので、支持枠３６、３８に散乱光Ａ（図９参照）が入射することが抑制され、支持枠３６、３８の温度上昇が抑制される。
【００６９】
[第３実施形態]
次に、第３実施形態に係る加熱装置、定着装置、及び画像形成装置の一例について説明する。なお、前述した第１実施形態と基本的に同一の部材及び部位には、前記第１実施形態と同一の符号を付与してその説明を省略する。
【００７０】
図１０には、第３実施形態の加熱装置の一例としての加熱部９０が示されている。なお、第３実施形態では、第１実施形態の画像形成装置１０、定着装置２０、及び加熱部３０（図１参照）において、加熱部３０に換えて加熱部９０が設けられている点が異なっており、他の構成については、第１実施形態と同様である。また、加熱部９０は、第１実施形態の加熱部３０において、吸収部材の一例としてのカバー部材９２が追加されている点が異なっており、他の構成については、第１実施形態と同様である。
【００７１】
カバー部材９２は、一例として、Ｚ方向を長手方向とし、Ｘ方向を短手方向とする部材であり、Ｘ−Ｙ断面が半円筒状に形成されている。また、カバー部材９２には、レーザ光Ｂｍが通過する貫通孔９３が形成されている。貫通孔９３は、Ｘ方向の幅がレーザ光Ｂｍのビーム径よりも大きく、且つＺ方向に延びる孔である。さらに、カバー部材９２は、一例として、アルミニウム製であり、透明チューブ４４と対向配置される面に黒アルマイト処理が施されている。なお、カバー部材９２の透明チューブ４４と対向配置される面の処理は、黒アルマイト処理に限らず、レーザ光Ｂｍを吸収する特性を有する材料を用いた処理から選択すればよい。
【００７２】
また、カバー部材９２は、Ｙ側に凸の状態で、透明チューブ４４の径方向で透明チューブ４４と対向し、且つ貫通孔９３がレーザ光Ｂｍの進行を遮断しないように、光照射部３２と透明チューブ４４との間に配置されている。さらに、カバー部材９２は、Ｙ方向視で透明チューブ４４を覆っている。
【００７３】
[作用]
次に、第３実施形態の作用について説明する。
【００７４】
図１０に示す加熱部９０において、レンズパッド３４内に入射されたレーザ光Ｂｍのうち、用紙Ｐで散乱された散乱光（図示省略）は、支持枠３６、３８へ向かって進行し、反射膜４２で反射され、反射光Ｂとなってレンズパッド３４内を進行する。そして、反射光Ｂは、レンズパッド３４の開口端（図示のＹ側）から外側へ進行する。
【００７５】
ここで、反射光Ｂの進行方向には、カバー部材９２が設けられているので、反射光Ｂは、カバー部材９２に吸収される。これにより、用紙Ｐで反射された光が、定着装置２０（加熱部９０）内のカバー部材９２以外の部材に入射することが抑制される。さらに、反射光Ｂが、定着装置２０内のカバー部材９２以外の部材に入射して、再度、支持枠３６、３８へ向けて反射されることが抑制されるので、トナーＴがレンズパッド３４の外側へ進行した反射光Ｂにより過熱されることが抑制される。
【００７６】
なお、本発明は上記の実施形態に限定されない。
【００７７】
（変形例）
定着装置は、図２に示す定着装置２０のように、透明チューブ４４を用いたものに限らず、図１１に示すように、加熱装置の一例としての加熱部１１０を有する定着装置１００であってもよい。定着装置１００は、加熱部１１０と、対向ロール２２とを有する。
【００７８】
加熱部１１０は、光照射部３２と、接触部材の一例としてのレンズパッド１１４と、レンズパッド１１４を支持する支持部材の一例としての支持枠１１６、１１８と、反射手段の一例としての反射膜１２２と、を有する。さらに、加熱部１１０は、加圧部材の一例としての定着ベルト１２４を有する。
【００７９】
定着ベルト１２４は、レーザ光Ｂｍを透過する材質で構成され、複数の支持ロール１２６によって周回移動可能に保持されている。光照射部３２は、定着ベルト１２４の内側に配置されている。
【００８０】
レンズパッド１１４は、レーザ光Ｂｍを透過させると共に透過方向に向かって集光するようになっている。また、レンズパッド１１４は、レーザ光Ｂｍが入射する光入射面１１４Ａと、レーザ光Ｂｍが出射される光出射面１１４Ｂとを有する。光出射面１１４Ｂは、定着ベルト１２４の内周面に接触する。さらに、レンズパッド１１４は、支持枠１１６、１１８により支持されている。
【００８１】
反射膜１２２は、一例として、酸化チタンの微粒子を含む白色塗料で構成され、支持枠１１６、１１８のレンズパッド１１４側の面に塗布されることで形成されている。なお、反射膜１２２は、支持枠１１６、１１８の下面にも塗布されている。支持枠１１６、１１８の下面は、定着ベルト１２４と対向する側の面である。
【００８２】
ここで、定着装置１００及び加熱部１１０では、反射膜１２２によりレーザ光Ｂｍが反射されるため、支持枠１１６、１１８の温度上昇が抑制される。これにより、支持枠１１６、１１８が定着ベルト１２４を過熱することが抑制されるので、定着ベルト１２４への用紙Ｐの付着力の増加が抑制され、且つ定着ベルト１２４によるトナーＴの過熱に起因する用紙Ｐへのトナー像Ｇの定着不良が抑制される。
【００８３】
（他の変形例）
加熱部３０、１１０は、トナーＴを用紙Ｐに定着する定着装置２０、１００に限らない。例えば、加熱部３０、１１０は、液体現像方式で用紙Ｐに付着した液体現像剤を定着前に予備加熱するものであってもよい。また、加熱部３０、１１０は、用紙Ｐ中の水分を取り除くための乾燥装置として用いられてもよい。
【００８４】
支持枠３６、３８、１１６、１１８は、２つ１組のものに限らず、１つあるいは３つ以上の複数設けられていてもよい。また、支持枠３６、３８、１１６、１１８は、レンズパッド３４、１１４と接触する面を有するものであれば、既述の実施形態とは異なる形状であってもよい。
【００８５】
レンズパッド３４、１１４は、一体のものに限らず、光軸方向で間隔をあけて配置された複数のレンズで構成されていてもよい。
【００８６】
反射膜４２、８２、１２２は、既述のように、レーザ光Ｂｍを反射するものであればよく、酸化チタンを含む白色塗料やアルミニウムに限らず、例えば、金でもよい。また、反射手段は、反射膜４２、８２、１２２のように部材の表面に形成するものに限らず、反射板のように、接触部材及び支持部材に対して独立して配置される部材であってもよい。
【００８７】
カバー部材９２は、第１実施形態の加熱部３０に設けるだけでなく、第２実施形態の加熱部３０や変形例の加熱部１１０に設けてもよい。
【００８８】
対向ロール２２は、ステンレス鋼製だけでなく、アルミニウム製や、他の金属製であってもよい。
【符号の説明】
【００８９】
１０  画像形成装置
１４  画像形成部（現像剤像形成手段の一例）
２０  定着装置
２２  対向ロール（搬送手段の一例）
３０  加熱部（加熱装置の一例）
３２  光照射部（光源の一例）
３４  レンズパッド（接触部材の一例）
３６  支持枠（支持部材の一例）
３８  支持枠（支持部材の一例）
４２  反射膜（反射手段の一例）
４４  透明チューブ（加圧部材の一例）
８２  反射膜
９０  加熱部（加熱装置の一例）
９２  カバー部材（吸収部材の一例）
１００  定着装置
１１０  加熱部（加熱装置の一例）
１１２  定着ベルト（加圧部材の一例）
１１４  レンズパッド（接触部材の一例）
１１６  支持枠（支持部材の一例）
１１８  支持枠（支持部材の一例）
Ｂｍ  レーザ光（光の一例）
Ｇ  トナー像（現像剤像の一例）
Ｋ  光軸
Ｎ  接触部
Ｔ  トナー（現像剤及び加熱対象の一例）
【図１】
0006308064.tif 000002
【図２】
0006308064.tif 000003
【図３】
0006308064.tif 000004
【図４】
0006308064.tif 000005
【図５】
0006308064.tif 000006
【図６】
0006308064.tif 000007
【図７】
0006308064.tif 000008
【図８】
0006308064.tif 000009
【図９】
0006308064.tif 000010
【図１０】
0006308064.tif 000011
【図１１】
0006308064.tif 000012